(57)【要約】【課題】ファンガードにおけるリブ広がり抑制強度と撓み防止強度とを確保しつつ、吹出空気流の通風抵抗上昇を抑制し得るようにする。【解決手段】閉塞板１４から外枠１５にまで連続する複数本の連続リブ１７Ａ，１７Ａ・・と、該連続リブ１７Ａ，１７Ａ・・の間にあって閉塞板１４から半径方向の略中央部にまで至る複数本の内層側リブ１７Ｂ，１７Ｂ・・と、前記連続リブ１７Ａ，１７Ａ・・の間にあって半径方向の略中央部から外枠１５にまで至る複数本の外層側リブ１７Ｃ，１７Ｃ・・とによってファンガードを構成するとともに、内層側リブ１７Ｂ，１７Ｂ・・の本数を外層側リブ１７Ｃ，１７Ｃ・・の本数より少なくして、軸方向の荷重負荷がかかったときにファンガード４の撓みを防止し得る強度を確保できるとともに、送風ファン３からの吹出空気流Ｗの通風抵抗上昇を抑制することができるようにしている。【選択図】            図２
2004156884.tif 000002
【特許請求の範囲】
【請求項１】
送風ファン（３）を有する送風ユニット（Ａ）の空気吹出口（９）に装着され、中央部に配設された閉塞板（１４）と外周囲に配設された外枠（１５）との間にあって、前記閉塞板（１４）の中心点を中心として径方向に所定の間隔を隔てて同心配置された多数の環状リブ（１６），（１６）・・と、前記閉塞板（１４）から前記外枠（１５）に向かって放射状に延び且つ周方向に等間隔で配置された多数の放射リブ（１７），（１７）・・とからなる送風ユニットのファンガードであって、前記放射リブ（１７），（１７）・・を、前記閉塞板（１４）から前記外枠（１５）にまで連続し且つ周方向に等間隔で配置された複数本の連続リブ（１７Ａ），（１７Ａ）・・と、該連続リブ（１７Ａ），（１７Ａ）・・の間にあって前記閉塞板（１４）から半径方向の略中央部にまで至り且つ周方向に等間隔で配置された複数本の内層側リブ（１７Ｂ），（１７Ｂ）・・と、前記連続リブ（１７Ａ），（１７Ａ）・・の間にあって半径方向の略中央部から前記外枠（１５）にまで至り且つ周方向に等間隔で配置された複数本の外層側リブ（１７Ｃ），（１７Ｃ）・・とによって構成するとともに、前記内層側リブ（１７Ｂ），（１７Ｂ）・・の本数を前記外層側リブ（１７Ｃ），（１７Ｃ）・・の本数より少なくしたことを特徴とする送風ユニットのファンガード。
【請求項２】
前記連続リブ（１７Ａ），（１７Ａ）・・の肉厚（ｔ′）を、前記内層側リブ（１７Ｂ），（１７Ｂ）・・および前記外層側リブ（１７Ｃ），（１７Ｃ）・・の肉厚（ｔ″）より大きく設定したことを特徴とする前記請求項１記載の送風ユニットのファンガード。
【請求項３】
前記連続リブ（１７Ａ），（１７Ａ）・・における前記送風ファン（３）からの吹出空気流（Ｗ）の流れ方向長さ（Ｄ）を、前記内層側リブ（１７Ｂ），（１７Ｂ）・・および前記外層側リブ（１７Ｃ），（１７Ｃ）・・の流れ方向長さ（Ｄ′）より長く設定したことを特徴とする前記請求項１および２のいずれか一項記載の送風ユニットのファンガード。
【請求項４】
送風ファン（３）を有する送風ユニット（Ａ）の空気吹出口（９）に装着され、中央部に配設された閉塞板（１４）と外周囲に配設された外枠（１５）との間にあって、前記閉塞板（１４）の中心点を中心として径方向に所定の間隔を隔てて同心配置された多数の環状リブ（１６），（１６）・・と、前記閉塞板（１４）から前記外枠（１５）に向かって放射状に延び且つ周方向に等間隔で配置された多数の放射リブ（１７），（１７）・・とからなる送風ユニットのファンガードであって、前記放射リブ（１７），（１７）・・を、前記閉塞板（１４）から半径方向の略中央部にまで至り且つ周方向に等間隔で配置された多数の内層側リブ（１７Ｂ），（１７Ｂ）・・と、半径方向中央部から前記外枠（１５）にまで至り且つ周方向に等間隔で配置された多数の外層側リブ（１７Ｃ），（１７Ｃ）・・とによって構成するとともに、前記内層側リブ（１７Ｂ），（１７Ｂ）・・の本数を前記外層側リブ（１７Ｃ），（１７Ｃ）・・の本数より少なくしたことを特徴とする送風ユニットのファンガード。
【請求項５】
前記環状リブ（１６），（１６）・・の肉厚（ｔ）を、中心側から前記内層側リブ（１７Ｂ），（１７Ｂ）・・と前記外層側リブ（１７Ｃ），（１７Ｃ）・・との両方が連結されて内層側領域（Ｚｉ）と外層側領域（Ｚｏ）との境界となる境界環状リブ（１６Ａ）までにおいては漸増させて前記境界環状リブ（１６Ｂ）において最大となすとともに、該境界環状リブ（１６Ｂ）の外側の環状リブ（１６Ｃ）で減少させ、そこから外周側に向かって漸増させたことを特徴とする前記請求項１、２、３および４のいずれか一項記載の送風ユニットのファンガード。
【発明の詳細な説明】
【０００１】
【発明の属する技術分野】
本願発明は、送風ファンを有する送風ユニットの空気吹出口に装着される送風ユニットのファンガードに関するものである。
【０００２】
【従来の技術】
例えば、空気調和装置の室外機に付設される送風ユニットとしては、送風ファンの空気吹出口にファンガードを設けて、送風ファンを防護するように構成されたものがある。
【０００３】
上記ファンガードとしては、放射状に配置された多数の放射リブと、同心状に配置された多数の環状リブとを合成樹脂で一体成形したものが従来からよく知られている。このような合成樹脂製のファンガードにおける放射リブおよび環状リブは、強度を維持するとともに通過する空気流の圧力損失を低減するために、送風ファンの回転軸方向に沿う偏平な断面形状とされている。
【０００４】
上記構造のファンガードにおいて要求される機能の一つとして、環状リブの間に誤って指が入ったり、物が入り込むのを防止できる強度がある。
【０００５】
所定寸法の物体を所定の力で押し付けたときに、環状リブ間隔が拡がって物体が入り込むのを防ぐ強度については、上記構造のファンガードの場合、放射リブの間隔が最も広くなる最外周部における強度が設計の基準値となる。
【０００６】
しかしながら、この種のファンガードの場合、中心部に近づくにつれて放射リブの間隔が狭くなるため、通風抵抗が増大し、騒音の上昇をもたらしていた。このような不具合を解消するために、最外周部での放射リブの間隔を基準とし、内側にいくにつれて放射リブの間隔が密になり、基準の２倍のリブ密度となる位置より内側では放射リブを間引くことにより、内側部で過剰に通風抵抗が上昇するのを抑制するようにしたものが提案されている（例えば、特許文献１参照）。
【０００７】
【特許文献１】
特開２００２−１９５６１０。
【０００８】
【発明が解決しようとする課題】
ところで、空気調和装置の室外ユニットなどのように、屋外に設置される装置に用いられる送風ユニットのファンガードの場合、環状リブの間からの異物侵入を防止する機能に加えて、ファンガードが撓んで変形し、送風ファンの羽根後縁に接触して送風ファンが破損することを防止する機能が必要である。ファンガードの撓みの原因としては、ファンガードにボール等の物体が衝突してファンガードの中央部が撓む場合や、送風ファンの回転軸が鉛直上向きであって冬季にファンガードの上に雪が積もり、雪の重みでファンガードが撓む場合などがある。
【０００９】
上記構造のファンガードの場合、ファンガード自体は外枠部分で機器本体に固定されているため、ファンガードの中央部に荷重が加わった場合、変形を支えるのは、環状リブよりも放射リブの受け持つ割合が大きくなる。よって、放射リブの本数、配置の仕方および断面形状などが撓み強度に対する影響度が大きくなる。
【００１０】
ところが、上記特許文献１に開示されているファンガードのように、内側で放射リブを間引いたファンガードの場合、通風抵抗の上昇は抑制できるものの、中央部における撓み強度が低下するため、前述したような荷重が中央部にかかってファンガードが変形し易くなり、送風ファンの羽根にファンガードの変形部分が接触するおそれがある。
【００１１】
本願発明は、上記の点に鑑みてなされたもので、ファンガードにおけるリブ広がり抑制強度と撓み防止強度とを確保しつつ、吹出空気流の通風抵抗上昇を抑制し得るようにすることを目的としている。
【００１２】
【課題を解決するための手段】
本願発明では、上記課題を解決するための第１の手段として、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記閉塞板１４から前記外枠１５にまで連続し且つ周方向に等間隔で配置された複数本の連続リブ１７Ａ，１７Ａ・・と、該連続リブ１７Ａ，１７Ａ・・の間にあって前記閉塞板１４から半径方向の略中央部にまで至り且つ周方向に等間隔で配置された複数本の内層側リブ１７Ｂ，１７Ｂ・・と、前記連続リブ１７Ａ，１７Ａ・・の間にあって半径方向の略中央部から前記外枠１５にまで至り且つ周方向に等間隔で配置された複数本の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくしている。
【００１３】
上記のように構成したことにより、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。しかも、閉塞板１４と外枠１５とが複数本の連続リブ１７Ａによって連結されることとなっているため、ファンガード４の軸方向荷重負荷に対する強度がより高くなる。
【００１４】
本願発明では、さらに、上記課題を解決するための第２の手段として、上記第１の手段を備えた送風ユニットのファンガードにおいて、前記連続リブ１７Ａ，１７Ａ・・の肉厚ｔ′を、前記内層側リブ１７Ｂ，１７Ｂ・・および前記外層側リブ１７Ｃ，１７Ｃ・・の肉厚ｔ″より大きく設定することもでき、そのように構成した場合、連続リブ１７Ａ，１７Ａ・・の剛性が高くなるところから、ファンガード４の変形防止強度が高くなる。
【００１５】
本願発明では、さらに、上記課題を解決するための第３の手段として、上記第１又は第２の手段を備えた送風ユニットのファンガードにおいて、前記連続リブ１７Ａ，１７Ａ・・における前記送風ファン３からの吹出空気流Ｗの流れ方向長さＤを、前記内層側リブ１７Ｂ，１７Ｂ・・および前記外層側リブ１７Ｃ，１７Ｃ・・の流れ方向長さＤ′より長く設定することもでき、そのように構成した場合、連続リブ１７Ａ，１７Ａ・・の剛性がより一層高くなるところから、ファンガード４の変形防止強度がより一層高くなる。
【００１６】
本願発明では、上記課題を解決するための第４の手段として、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記閉塞板１４から半径方向の略中央部にまで至り且つ周方向に等間隔で配置された多数の内層側リブ１７Ｂ，１７Ｂ・・と、半径方向中央部から前記外枠１５にまで至り且つ周方向に等間隔で配置された多数の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくしている。
【００１７】
上記のように構成したことにより、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。
【００１８】
本願発明では、さらに、上記課題を解決するための第５の手段として、上記第１、第２、第３又は第４の手段を備えた送風ユニットのファンガードにおいて、前記環状リブ１６，１６・・の肉厚ｔを、中心側から前記内層側リブ１７Ｂ，１７Ｂ・・と前記外層側リブ１７Ｃ，１７Ｃ・・との両方が連結されて内層領域Ｚｉと外層領域Ｚｏとの境界となる境界環状リブ１６Ｂまでにおいては漸増させて該境界環状リブ１６Ｂにおいて最大となすとともに、該境界環状リブ１６Ｂの外側の環状リブ１６Ｃで減少させ、そこから外周側に向かって漸増させることもでき、そのように構成した場合、内層側リブ１７Ｂ，１７Ｂ・・および外層側リブ１７Ｃ，１７Ｃ・・の間隔が広くなるのに対応して環状リブ１６，１６・・の肉厚ｔが大きくなるところから、環状リブ１６，１６・・が半径方向に広がるのを防止するに十分な強度を確保できることとなる。しかも、内層側リブ１７Ｂ，１７Ｂ・・と外層側リブ１７Ｃ，１７Ｃ・・との両方が連結されて内層領域Ｚｉと外層領域Ｚｏとの境界となる境界環状リブ１６Ｂの肉厚ｔが最大となっているため、当該境界環状リブ１６Ｂが、内層側リブ１７Ｂ，１７Ｂ・・に対しては外枠的な機能を発揮するし、外層側リブ１７Ｃ，１７Ｃ・・に対しては内枠的な機能を発揮することとなり、ファンガード４の全体強度を高めることができる。
【００１９】
【発明の実施の形態】
以下、添付の図面を参照して、本願発明を幾つかの好適な実施の形態について説明する。
【００２０】
第１の実施の形態
図１ないし図８には、本願発明の第１の実施の形態にかかる送風ユニットのファンガードが示されている。
【００２１】
このファンガード４は、図１に示すように、空気調和装置の室外ユニットＡ（送風ユニットの一例）に装着されるものであり、この室外ユニットＡは、側面から外気を吸い込み、吸い込まれた外気を冷媒と熱交換させることにより冷却あるいは加熱して空調空気となし、該空調空気を上方に吹き出すように構成された上吹き型とされている。
【００２２】
前記室外ユニットＡは、３側面に空気吸込口５（図１においては１側面のみ示している）を有する横断面長方形形状のケーシング１と、該ケーシング１内において前記空気吸込口５に沿うように配設された断面コ字状の熱交換器２と、外気を吸い込み吹き出すための送風ファン３と、前記ケーシング１の上端開口部に配設されたファンガード４とを備えて構成されている。なお、図１には、図示省略されているが、前記室外ユニットＡは、前記熱交換器２と対向して前記ケーシング１内に配置された制御部と、冷媒を圧縮する圧縮機とを備えている。
【００２３】
前記ケーシング１は、上方が開口した直方体形状のケーシング本体６と、該ケーシング本体６の上部開口を覆う上蓋部材７とを有しており、前記ケーシング本体６は、例えば板金加工により形成された金属薄板からなる箱体とされている。
【００２４】
前記上蓋部材７は、合成樹脂の一体成形品からなっており、前記ケーシング本体６の上部開口に載置される断面長方形形状の載置部７ａと、該載置部７ａの上端から筒状に絞られて延設された円形形状の壁面部７ｂとからなっており、該壁面部７ｂの上端は、前記ファンガード４が装着される空気吹出口９とされている。前記上蓋部材７における壁面部７ｂの上部内面には、概ね円筒形状で上下部分が広がったベルマウス１０が設けられている。
【００２５】
前記送風ファン３は、中心に位置する筒状のハブ１１と該ハブ１１の周囲に設けられた複数の羽根１２，１２・・とからなる軸流ファンとされており、前記ベルマウス１０の内方に配置されている。この送風ファン３は、前記ハブ１１の中心に枢着された回転軸１３ａを有するファンモータ１３により回転駆動されることとなっている。該ファンモータ１３は、前記ケーシング本体６の上端部に対して支持具（図示省略）を介して取り付けられている。
【００２６】
前記ファンガード４は、図２に示すように、中央部に配設された円形の閉塞板１４と外周囲に配設された円形の外枠１５との間にあって、前記閉塞板１４の中心点を中心として径方向に所定の間隔を隔てて同心配置された環状リブ１６，１６・・と、前記閉塞板１４から前記外枠１５に向かって放射状に延びる放射リブ１７，１７・・とからなっており、該放射リブ１７，１７・・は、前記閉塞板１４から前記外枠１５にまで連続する複数本（本実施の形態の場合、８本）の連続リブ１７Ａ，１７Ａ・・と、前記閉塞板１４から半径方向の略中央部にまで至る内層領域Ｚｉにおいて前記閉塞板１４から半径方向の略中央部に至る内層側リブ１７Ｂ，１７Ｂ・・と、半径方向の略中央部から前記外枠１５にまで至る外層領域Ｚｏにおいて半径方向の略中央部から前記外枠１５に至る外層側リブ１７Ｃ，１７Ｃ・・とによって構成されている。この場合、連続リブ１７Ａ，１７Ａ・・は、周方向等間隔に設けられており、隣り合う連続リブ１７Ａ，１７Ａの間には、３本の外層側リブ１７Ｃ，１７Ｃ，１７Ｃと２本の内層側リブ１７Ｂ，１７Ｂとが周方向等間隔に設けられている。つまり、前記外層側リブ１７Ｃ，１７Ｃ・・の本数をｍ本、前記内層側リブ１７Ｂ，１７Ｂ・・の本数をｍ−１本とし、ｍ＝３とされている。具体的には、内層側リブ１７Ｂ，１７Ｂ・・の本数は外層側リブ１７Ｃ，１７Ｃ・・の本数より８本少なくなっているのである。
【００２７】
上記のようにすると、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、ファンガード４に軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。しかも、閉塞板１４と外枠１５とが８本の連続リブ１７Ａ，１７Ａ・・によって連結されることとなっているため、ファンガード４の軸方向荷重負荷に対する強度がより高くなる。
【００２８】
また、前記閉塞板１４、前記外枠１５、前記連続リブ１７Ａ，１７Ａ・・、前記内層側リブ１７Ｂ，１７Ｂ・・、前記外層側リブ１７Ｃ，１７Ｃ・・および前記環状リブ１６，１６・・は、合成樹脂の一体成形品からなっている（図３参照）。また、前記外枠１５は、前記送風ファン３の羽根１２，１２・・の外径より大径のスリーブ形状とされている。そして、この外枠１５を前記壁面部７ｂの上端の空気吹出口９にはめ込むことにより、ファンガード４が装着されることとなっているのである。
【００２９】
前記連続リブ１７Ａ，１７Ａ・・および前記内層側リブ１７Ｂ，１７Ｂ・・は、前記閉塞板１４から半径方向に放射状に配置され且つ送風ファン３の回転方向Ｍの下流側に向かって凸に湾曲して形成されている。また、前記外層側リブ１７Ｃ，１７Ｃ・・は、ファンガード４における外層領域Ｚｏにおいて半径方向に放射状に配置され且つ送風ファン３の回転方向Ｍの下流側に向かって凸に湾曲して形成されている。このようにしたことにより、放射状に広がりながら吹き出される送風ファン３の吹出空気流に前記リブ１７Ａ，１７Ｂ，１７Ｃが沿い易くなるのである。具体的には、前記リブ１７Ａ，１７Ｂ，１７Ｃは、円弧状となるように回転方向Ｍの下流側に向かって凸に湾曲して形成されているのである（図４参照）。
【００３０】
ところで、送風ファン３（即ち、軸流ファン）の旋回吹出空気流の傾斜角αは、全半径方向領域において一定ではなく、半径方向において変化している。即ち、吹出気流の傾斜角αは、図１３に示すように、半径位置（即ち、無次元Ｒ＝半径／ファンガード半径）に対して下に凸な曲線（即ち、軸流ファンのハブ側から外周側に向かって漸減し、中央部やや外周側で最小値をもち且つ所定領域において略一定となり、外周近傍で再び漸増する曲線）で変化している。つまり、前記傾斜角αは、ほぼ２０°〜５０°の範囲で徐変することとなっているのである。
【００３１】
そこで、本実施の形態においては、図５に示すように、前記放射リブ（即ち、連続リブ１７Ａ、内層側リブ１７Ｂおよび外層側リブ１７Ｃ）の傾斜角α′は、前記閉塞板１４と前記外枠１５との間の中間部位において最小値（例えば、約２３°）をもち且つ所定領域において略一定とされる一定領域Ｚ０と、該一定領域Ｚ０を挟んで前記閉塞板１４側の漸減領域Ｚ１および前記外枠１５側の漸増領域Ｚ２とを有するように設定されている。つまり、前記放射リブ（即ち、連続リブ１７Ａ、内層側リブ１７Ｂおよび外層側リブ１７Ｃ）は、前記送風ファン３の回転軸１３ａに平行な基準面Ｆにおいて回転軸心に対して傾斜させるとともに、前記放射リブ（即ち、連続リブ１７Ａ、内層側リブ１７Ｂおよび外層側リブ１７Ｃ）の傾斜角α′を、前記送風ファン３の吹出空気流Ｗの傾斜角度αに対応するように半径方向で徐変させているのである。ここで、前記放射リブ（即ち、連続リブ１７Ａ、内層側リブ１７Ｂおよび外層側リブ１７Ｃ）の傾斜角α′は、２０°〜５０°の範囲で徐変させるのが望ましい。
【００３２】
このようにすると、半径方向位置（即ち、無次元Ｒ＝半径／ファンガード半径）に対する吹出空気流Ｗの傾斜角度αの変化（図１６参照）と放射リブ（即ち、連続リブ１７Ａ、内層側リブ１７Ｂおよび外層側リブ１７Ｃ）の傾斜角度α′とが全半径方向領域において一致することとなり、吹出空気流の傾斜角が放射リブの傾斜角と一致しない領域（即ち、閉塞板１４側や外周側近傍）が存在することとなっていた従来のものにおいて発生していた吹出空気流と放射リブとの干渉がほぼ完全に発生しなくなり、騒音および圧力損失を大幅に低減できる。
【００３３】
前記連続リブ１７Ａ，１７Ａ・・の肉厚ｔ′は、前記内層側リブ１７Ｂ，１７Ｂ・・および前記外層側リブ１７Ｃ，１７Ｃ・・の肉厚ｔ″より大きく設定され且つ前記連続リブ１７Ａ，１７Ａ・・の吹出空気流Ｗの流れ方向長さＤは、前記内層側リブ１７Ｂ，１７Ｂ・・および前記外層側リブ１７Ｃ，１７Ｃ・・の吹出空気流Ｗの流れ方向長さＤ′より長く設定されている（図３参照）。このようにすると、連続リブ１７Ａ，１７Ａ・・の剛性が高くなるところから、ファンガード４の変形防止強度が高くなる。
【００３４】
また、本実施の形態においては、前記環状リブ１６，１６・・は、図６に示すように、半径方向領域の略中央部から外側において外向きに傾斜させ且つその傾斜角βは、最外周近傍においては徐々に小さくなるように設定されている。この場合、上蓋部材７における壁面部７ｂおよび前記ファンガード４の外枠１５は、送風ファン３の回転軸１３ａに対して内側に傾斜されている。このようにすると、送風ファン３からの外向き広がり流れ（即ち、吹出空気流Ｗ）が、環状リブ１６，１６・・に沿って通過することとなって、環状リブ１６と吹出空気流Ｗとの干渉を低減できるし、最外周近傍においては環状リブ１６を通過した吹出空気流Ｗの吹出方向が軸方向に矯正されて、吹出空気流Ｗの閉塞現象が生ずることがなくなり、圧力損失の低減を図ることができる。
【００３５】
前記環状リブ１６，１６・・における最外周環状リブ１６Ａの傾斜角βを、前記外枠１５の傾斜角と略同一となすのが望ましい。この場合、最外周環状リブ１６Ａと外枠１５との間を吹出空気流Ｗがスムーズに通過することとなり、騒音上昇および圧力損失を低減することができる。なお、外枠１５を送風ファン３の回転軸１３ａ方向と平行とすることもできる。
【００３６】
また、図７に示すように、環状リブ１６，１６・・を、半径方向領域の略中央部から外側において外向きに所定角度β（例えば、β＝５°〜１５°）で傾斜させるようにしてもよく、図８に示すように、外枠１５を送風ファン３の回転軸１３ａ方向と平行とするとともに、環状リブ１６，１６・・を、半径方向領域の略中央部から外側において外向きに所定角度β（例えば、β＝５°〜１５°）で傾斜させるようにしてもよい。
【００３７】
ところで、本実施の形態においては、図９および図１０に示すように、前記環状リブ１６，１６・・の肉厚ｔは、中心側から前記内層側リブ１７Ｂ，１７Ｂ・・と前記外層側リブ１７Ｃ，１７Ｃ・・との両方が連結されて内層領域Ｚｉと外層領域Ｚｏとの境界となる境界環状リブ１６Ｂまでにおいては漸増せしめられ、該境界環状リブ１６Ｂにおいて最大とされるとともに、該境界環状リブ１６Ｂの外側の環状リブ１６Ｃで減少せしめられ、そこから外周側に向かって漸増せしめられている。このようにすると、内層側リブ１７Ｂ，１７Ｂ・・および外層側リブ１７Ｃ，１７Ｃ・・の間隔が広くなるのに対応して環状リブ１６，１６・・の肉厚ｔが大きくなるところから、環状リブ１６，１６・・が半径方向に広がるのを防止するに十分な強度を確保できることとなる。しかも、内層側リブ１７Ｂ，１７Ｂ・・と外層側リブ１７Ｃ，１７Ｃ・・との両方が連結されて内層側領域Ｚｉと外層側領域Ｚｏとの境界となる境界環状リブ１６Ｂの肉厚ｔが最大となっているため、当該境界環状リブ１６Ｂが、内層側リブ１７Ｂ，１７Ｂ・・に対しては外枠的な機能を発揮するし、外層側リブ１７Ｃ，１７Ｃ・・に対しては内枠的な機能を発揮することとなり、ファンガード４の全体強度を高めることができる。
【００３８】
第２の実施の形態
図１１は、本願発明の第２の実施の形態にかかる送風ファンのファンガードが示されている。
【００３９】
この場合、放射リブ１７，１７・・は、閉塞板１４から半径方向の略中央部にまで至る内層領域Ｚｉにおいて前記閉塞板１４から半径方向の略中央部に至る内層側リブ１７Ｂ，１７Ｂ・・と、半径方向の略中央部から外枠１５にまで至る外層領域Ｚｏにおいて半径方向の略中央部から前記外枠１５に至る外層側リブ１７Ｃ，１７Ｃ・・とによって構成されている。この場合、前記外層側リブ１７Ｃ，１７Ｃ・・および前記内層側リブ１７Ｂ，１７Ｂ・・は周方向等間隔に設けられており、前記内層側リブ１７Ｂ，１７Ｂ・・の本数は前記外層側リブ１７Ｃ，１７Ｃ・・の本数より少なく（本実施の形態の場合、１／２）とされている。このようにすると、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、ファンガード４に軸方向の荷重負荷がかかったときにファンガード４の撓みを防止し得る強度を確保できるとともに、送風ファン３からの吹出空気流Ｗの通風抵抗上昇を抑制することができる。その結果、ファンガード４の変形による送風ファン３との接触を防止できるとともに、騒音低減と送風ファン３の入力低減とを図ることができる。なお、前記内層側リブ１７Ｂ，１７Ｂ・・および前記外層側リブ１７Ｃ，１７Ｃ・・の周方向間隔（換言すれば、本数）は、容易に異物（例えば、指等）が入らない程度とされるが、内層側リブ１７Ｂ，１７Ｂ・・の本数が外層側リブ１７Ｃ，１７Ｃ・・の本数より少なくされる。その他の構成および作用効果は、第１の実施の形態におけると同様なので説明を省略する。
【００４０】
第３の実施の形態
図１２には、本願発明の第３の実施の形態にかかる送風ユニットのファンガードが示されている。
【００４１】
この場合、連続リブ１７Ａ，１７Ａ・・の本数は１２本とされており、隣合う連続リブ１７Ａ，１７Ａ間の外層側リブ１７Ｃ，１７Ｃ・・の本数ｍ＝２とされている。つまり、内層側リブ１７Ｂ，１７Ｂ・・の本数は、外層側リブ１７Ｃ，１７Ｃ・・の本数の１／２とされているのである。なお、閉塞板１４を矩形形状とする場合もある。このようにすると、連続リブ１７Ａ，１７Ａ・・の本数が増加した分だけ、ファンガード４の強度が向上する。その他の構成および作用効果は、第１の実施の形態におけると同様なので説明を省略する。
【００４２】
第４の実施の形態
図１３には、本願発明の第４の実施の形態にかかる送風ユニットのファンガードが示されている。
【００４３】
この場合、連続リブ１７Ａ，１７Ａ・・の本数は６本とされており、隣合う連続リブ１７Ａ，１７Ａ間の外層側リブ１７Ｃ，１７Ｃ・・の本数ｍ＝４とされている。つまり、内層側リブ１７Ｂ，１７Ｂ・・の本数は、外層側リブ１７Ｃ，１７Ｃ・・の本数より６本少なくされているのである。なお、閉塞板１４を矩形形状とする場合もある。このようにすると、連続リブ１７Ａ，１７Ａ・・の本数が減少した分だけ、ファンガード４の強度がやや低下する。その他の構成および作用効果は、第１の実施の形態におけると同様なので説明を省略する。
【００４４】
第５の実施の形態
図１４には、本願発明の第５の実施の形態にかかる送風ユニットのファンガードが示されている。
【００４５】
この場合、ファンガード４における外枠１５が矩形形状とされており、連続リブ１７Ａ，１７Ａ・・の本数は１２本とされており、隣合う連続リブ１７Ａ，１７Ａ間の外層側リブ１７Ｃ，１７Ｃ・・の本数ｍ＝２とされている。つまり、内層側リブ１７Ｂ，１７Ｂ・・の本数は、外層側リブ１７Ｃ，１７Ｃ・・の本数の１／２とされているのである。なお、閉塞板１４を矩形形状とする場合もある。このようにすると、連続リブ１７Ａ，１７Ａ・・の本数が増加した分だけ、ファンガード４の強度が向上する。その他の構成および作用効果は、第１の実施の形態におけると同様なので説明を省略する。
【００４６】
第６の実施の形態
図１５には、本願発明の第６の実施の形態にかかる送風ユニットのファンガードが示されている。
【００４７】
この場合、ファンガード４における外枠１５が矩形形状とされており、連続リブ１７Ａ，１７Ａ・・の本数は８本とされており、隣合う連続リブ１７Ａ，１７Ａ間の外層側リブ１７Ｃ，１７Ｃ・・の本数ｍ＝３とされている。つまり、内層側リブ１７Ｂ，１７Ｂ・・の本数は、外層側リブ１７Ｃ，１７Ｃ・・の本数より８本少なくされているのである。なお、閉塞板１４を矩形形状とする場合もある。その他の構成および作用効果は、第１の実施の形態におけると同様なので説明を省略する。
【００４８】
【発明の効果】
本願発明の第１の手段によれば、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記閉塞板１４から前記外枠１５にまで連続し且つ周方向に等間隔で配置された複数本の連続リブ１７Ａ，１７Ａ・・と、該連続リブ１７Ａ，１７Ａ・・の間にあって前記閉塞板１４から半径方向の略中央部にまで至り且つ周方向に等間隔で配置された複数本の内層側リブ１７Ｂ，１７Ｂ・・と、前記連続リブ１７Ａ，１７Ａ・・の間にあって半径方向の略中央部から前記外枠１５にまで至り且つ周方向に等間隔で配置された複数本の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくしているので、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができることとなり、ファンガード４の変形による送風ファン３との接触を防止できるとともに、騒音低減と送風ファン３の入力低減とを図ることができるという効果がある。しかも、閉塞板１４と外枠１５とが複数本の放射リブ（即ち、連続リブ１７Ａ）によって連結されることとなっているため、ファンガード４の軸方向荷重負荷に対する強度がより高くなるという効果もある。
【００４９】
本願発明の第２の手段におけるように、上記第１の手段を備えた送風ユニットのファンガードにおいて、前記連続リブ１７Ａ，１７Ａ・・の肉厚ｔ′を、前記内層側リブ１７Ｂ，１７Ｂ・・および前記外層側リブ１７Ｃ，１７Ｃ・・の肉厚ｔ″より大きく設定することもでき、そのように構成した場合、連続リブ１７Ａ，１７Ａ・・の剛性が高くなるところから、ファンガード４の変形防止強度が高くなる。
【００５０】
本願発明の第３の手段におけるように、上記第１又は第２の手段を備えた送風ユニットのファンガードにおいて、前記連続リブ１７Ａ，１７Ａ・・における前記送風ファン３からの吹出空気流Ｗの流れ方向長さＤを、前記内層側リブ１７Ｂ，１７Ｂ・・および前記外層側リブ１７Ｃ，１７Ｃ・・の流れ方向長さＤ′より長く設定することもでき、そのように構成した場合、連続リブ１７Ａ，１７Ａ・・の剛性がより一層高くなるところから、ファンガード４の変形防止強度がより一層高くなる。
【００５１】
本願発明の第４の手段によれば、送風ファン３を有する送風ユニットＡの空気吹出口９に装着され、中央部に配設された閉塞板１４と外周囲に配設された外枠１５との間にあって、前記閉塞板１４の中心点を中心として径方向に所定の間隔を隔てて同心配置された多数の環状リブ１６，１６・・と、前記閉塞板１４から前記外枠１５に向かって放射状に延び且つ周方向に等間隔で配置された多数の放射リブ１７，１７・・とからなる送風ユニットのファンガードにおいて、前記放射リブ１７，１７・・を、前記閉塞板１４から半径方向の略中央部にまで至り且つ周方向に等間隔で配置された多数の内層側リブ１７Ｂ，１７Ｂ・・と、半径方向中央部から前記外枠１５にまで至り且つ周方向に等間隔で配置された多数の外層側リブ１７Ｃ，１７Ｃ・・とによって構成するとともに、前記内層側リブ１７Ｂ，１７Ｂ・・の本数を前記外層側リブ１７Ｃ，１７Ｃ・・の本数より少なくしているので、環状リブ１６，１６・・間に異物が侵入したときに環状リブ１６，１６・・が半径方向に広がるのを防止するに十分な強度を確保できるし、内層側リブ１７Ｂが閉塞板１４に連結されているため、内層側リブ１７Ｂの本数を外層側リブ１７Ｃの本数より少なくしても、ファンガード４の中央部における強度が低下することがなくなり、軸方向の荷重負荷がかかったときにファンガード４の撓みを防止し得る強度を確保できるとともに、送風ファン３からの吹出空気流Ｗの通風抵抗上昇を抑制することができることとなり、ファンガード４の変形による送風ファン３との接触を防止できるとともに、騒音低減と送風ファン３の入力低減とを図ることができるという効果がある。
【００５２】
本願発明の第５の手段におけるように、上記第１、第２、第３又は第４の手段を備えた送風ユニットのファンガードにおいて、前記環状リブ１６，１６・・の肉厚ｔを、中心側から前記内層側リブ１７Ｂ，１７Ｂ・・と前記外層側リブ１７Ｃ，１７Ｃ・・との両方が連結されて内層領域Ｚｉと外層領域Ｚｏとの境界となる境界環状リブ１６Ｂまでにおいては漸増させて該境界環状リブ１６Ｂにおいて最大となすとともに、該境界環状リブ１６Ｂの外側の環状リブ１６Ｃで減少させ、そこから外周側に向かって漸増させることもでき、そのように構成した場合、内層側リブ１７Ｂ，１７Ｂ・・および外層側リブ１７Ｃ，１７Ｃ・・の間隔が広くなるのに対応して環状リブ１６，１６・・の肉厚ｔが大きくなるところから、環状リブ１６，１６・・が半径方向に広がるのを防止するに十分な強度を確保できることとなる。しかも、内層側リブ１７Ｂ，１７Ｂ・・と外層側リブ１７Ｃ，１７Ｃ・・との両方が連結されて内層領域Ｚｉと外層領域Ｚｏとの境界となる境界環状リブ１６Ｂの肉厚ｔが最大となっているため、当該境界環状リブ１６Ｂが、内層側リブ１７Ｂ，１７Ｂ・・に対しては外枠的な機能を発揮するし、外層側リブ１７Ｃ，１７Ｃ・・に対しては内枠的な機能を発揮することとなり、ファンガード４の全体強度を高めることができる。
【図面の簡単な説明】
【図１】本願発明の第１の実施の形態にかかるファンガードを用いた送風ユニット（室外ユニット）の一部を断面とした側面図である。
【図２】本願発明の第１の実施の形態にかかる送風ユニットのファンガードを示す平面図である。
【図３】本願発明の第１の実施の形態にかかる送風ユニットのファンガードの要部を示す部分拡大斜視図である。
【図４】本願発明の第１の実施の形態にかかる送風ユニットのファンガードおよび送風ファン部分の一部を欠除した斜視図である。
【図５】本願発明の第１の実施の形態にかかる送風ユニットのファンガードを構成する放射リブの形状を決定する説明図である。
【図６】本願発明の第１の実施の形態にかかる送風ユニットのファンガードの要部拡大断面図である。
【図７】本願発明の第１の実施の形態にかかる送風ユニットのファンガードの変形例を示す要部拡大断面図である。
【図８】本願発明の第１の実施の形態にかかる送風ユニットのファンガードの他の変形例を示す要部拡大断面図である。
【図９】本願発明の第１の実施の形態にかかる送風ユニットのファンガードにおける環状リブの拡大断面図である。
【図１０】本願発明の第１の実施の形態にかかる送風ユニットのファンガードにおける環状リブの肉厚の変化を無次元Ｒ（半径／ファンガード半径）に対応させて示した特性図である。
【図１１】本願発明の第２の実施の形態にかかる送風ユニットのファンガードを示す平面図である。
【図１２】本願発明の第３の実施の形態にかかる送風ユニットのファンガードを示す平面図である。
【図１３】本願発明の第４の実施の形態にかかる送風ユニットのファンガードを示す平面図である。
【図１４】本願発明の第５の実施の形態にかかる送風ユニットのファンガードを示す平面図である。
【図１５】本願発明の第６の実施の形態にかかる送風ユニットのファンガードを示す平面図である。
【図１６】無次元Ｒ（半径／ファンガード半径）と軸流ファンにおける吹出空気流の傾斜角α（°）との関係を示す特性図である。
【符号の説明】
３は送風ファン、４はファンガード、９は空気吹出口、１４は閉塞板、１５は外枠、１６は環状リブ、１６Ａは最外周環状リブ、１６Ｂは境界環状リブ、１６Ｃは境界環状リブの外側の環状リブ、１７は放射リブ、１７Ａは連続リブ、１７Ｂは内層側リブ、１７Ｃは外層側リブ、Ａは送風ユニット（室外ユニット）、Ｗは吹出空気流、Ｚ１は漸減領域、Ｚ２は漸増領域、Ｚｉは内層領域、Ｚｏは外層領域、Ｄは連続リブにおける吹出空気流の流れ方向長さ、Ｄ′は内層側リブおよび外層側リブにおける吹出空気流の流れ方向長さ、ｔは環状リブの肉厚、ｔ′は連続リブの肉厚、ｔ″は内層側リブおよび外層側リブの肉厚。
【図１】
2004156884.tif 000003
【図２】
2004156884.tif 000004
【図３】
2004156884.tif 000005
【図４】
2004156884.tif 000006
【図５】
2004156884.tif 000007
【図６】
2004156884.tif 000008
【図７】
2004156884.tif 000009
【図８】
2004156884.tif 000010
【図９】
2004156884.tif 000011
【図１０】
2004156884.tif 000012
【図１１】
2004156884.tif 000013
【図１２】
2004156884.tif 000014
【図１３】
2004156884.tif 000015
【図１４】
2004156884.tif 000016
【図１５】
2004156884.tif 000017
【図１６】
2004156884.tif 000018